(57)【要約】【課題】  寒さで悴んだ手を温めることでメダル投入がスムーズにでき、快適に遊技を行うことができる遊技機を提供する。【解決手段】  外気を取り込んで温風にして吹き出す加温装置を遊技機筐体内に備え、遊技が行われていない状態の時（ベットされていない時）、遊技者が遊技機に備え付けられたレバー又はボタンを操作することにより、メダル払出口から温風が吹き出てくる。【選択図】  図１
2005261490.tif 000002
【特許請求の範囲】
【請求項１】
空気を取り入れる、少なくとも１以上の空気取り込み手段と、
前記取り入れた空気を加熱して温風にする空気加熱手段と、を有する加温装置を筐体内に備え、
前記温風を遊技媒体払出口から吹き出させることを特徴とする遊技機。
【請求項２】
前記加温装置は、前記温風を吹き出すための温風吹き出し口を有し、
前記温風吹き出し口は、
ホッパ装置に設けられ、該ホッパ装置から出力される遊技媒体を前記遊技媒体払出口へ案内するための通路である遊技媒体払出通路と直結することを特徴とする請求項１記載の遊技機。
【請求項３】
前面扉に備えられた遊技媒体払出通路に温風を取り入れるための開口部を設け、前記前面扉を閉めた時に、前記温風吹き出し口と前記開口部とが合わさることを特徴とする請求項１記載の遊技機。
【請求項４】
前記加温装置は、遊技者による操作手段の操作を検知するサブ制御基板によって、温風吹き出し動作を開始するように制御されることを特徴とする請求項１から３のいずれか１項に記載の遊技機。
【請求項５】
前記加温装置は、前記遊技者が前記遊技媒体を遊技媒体投入口に投入した場合、又はベット手段を操作した場合のいずれかにおいて、前記サブ制御基板によって前記温風吹き出し動作を停止するよう制御されることを特徴とする請求項１から４のいずれか１項に記載の遊技機。
【請求項６】
前記サブ制御基板は、予め設定された所定の時間内に遊技が行われなかった場合は、温風吹き出し動作を停止するように前記加温装置を制御することを特徴とする請求項１から５のいずれか１項に記載の遊技機。
【請求項７】
前記加温装置は、前記筐体に固定するための取付手段によって該筐体内に取り付けられることを特徴とする請求項１から６のいずれか１項に記載の遊技機。
【請求項８】
前記加温装置は、主電源装置と配線接続され、該主電源装置からの電源供給により作動することを特徴とする請求項１から７のいずれか１項に記載の遊技機。
【請求項９】
前記筐体の側面に、外気を取り込むための開口部である外気取り込み口を直接設け、前記空気取り込み手段は、前記外気取り込み口から外気を取り込むことを特徴とする請求項１から８のいずれか１項に記載の遊技機。
【請求項１０】
前記温風の風圧によって開閉可動する開閉板を前記温風吹き出し口に設けたことを特徴とする請求項２又は３記載の遊技機。
【発明の詳細な説明】
【技術分野】
【０００１】
本発明は、遊技の際に遊技者がメダル等の遊技媒体を直接扱う遊技機に関し、詳しくは遊技者の手を温めるための加温手段を有する遊技機に関する。
【背景技術】
【０００２】
従来、図１に示すスロットマシン等のメダル遊技機が備えるメダル払出口は、遊技者が獲得したメダルを払い出すためにのみ用いられている。
【０００３】
一方、寒い季節にメダル遊技機を遊技する遊技者は、遊技場に入って遊技を開始する際、手が悴んでしまって遊技媒体であるメダルをメダル投入口にうまく投入できず、誤ってメダルを落下させてしまうなどしてスムーズな遊技の妨げになることがある。
【０００４】
加温手段を有する遊技機の従来技術例として、遊技媒体であるパチンコ玉を温めるための加温手段を、遊技島の遊技媒体貯留部内に設ける「遊技機島における遊技媒体貯留構造」がある（例えば、特許文献１参照）。
【特許文献１】特開平８−６６５４１号公報
【発明の開示】
【発明が解決しようとする課題】
【０００５】
しかしながら、上記特許文献１記載の発明は、遊技媒体であるパチンコ玉を加温することを目的とした構造であり、遊技機内から発する温風によって遊技者が悴んだ手を温めることはできる構成ではない。
【０００６】
本発明は、上記事情に鑑みてなされたものであり、寒い季節にメダル遊技を開始する際、遊技者がスムーズなメダル投入をできるようにする遊技機を提供することを目的とする。
【課題を解決するための手段】
【０００７】
かかる目的を達成するために、請求項１記載の発明は、空気を取り入れる、少なくとも１以上の空気取り込み手段と、取り入れた空気を加熱して温風にする空気加熱手段と、を有する加温装置を筐体内に備え、温風を遊技媒体払出口から吹き出させることを特徴とする。
【０００８】
請求項２記載の発明は、請求項１記載の発明において、加温装置は、温風を吹き出すための温風吹き出し口を有し、温風吹き出し口は、ホッパ装置に設けられ、ホッパ装置から出力される遊技媒体を遊技媒体払出口へ案内するための通路である遊技媒体払出通路と直結することを特徴とする。
【０００９】
請求項３記載の発明は、請求項１記載の発明において、前面扉に備えられた遊技媒体払出通路に温風を取り入れるための開口部を設け、前面扉を閉めた時に、温風吹き出し口と開口部とが合わさることを特徴とする。
【００１０】
請求項４記載の発明は、請求項１から３のいずれか１項に記載の発明において、加温装置は、遊技者による操作手段の操作を検知するサブ制御基板によって、温風吹き出し動作を開始するように制御されることを特徴とする。
【００１１】
請求項５記載の発明は、請求項１から３のいずれか１項に記載の発明において、加温装置は、遊技者が遊技媒体を遊技媒体投入口に投入した場合、又はベット手段を操作した場合のいずれかにおいて、サブ制御基板によって温風吹き出し動作を停止するよう制御されることを特徴とする。
【００１２】
請求項６記載の発明は、請求項１から３のいずれか１項に記載の発明において、サブ制御基板は、予め設定された所定の時間内に遊技が行われなかった場合は、温風吹き出し動作を停止するように加温装置を制御することを特徴とする。
【００１３】
請求項７記載の発明は、請求項１から６のいずれか１項に記載の発明において、加温装置は、筐体に固定するための取付手段によって筐体内に取り付けられることを特徴とする。
【００１４】
請求項８記載の発明は、請求項１から７のいずれか１項に記載の発明において、加温装置は、主電源装置と配線接続され、主電源装置からの電源供給により作動することを特徴とする。
【００１５】
請求項９記載の発明は、請求項１から８のいずれか１項に記載の発明において、筐体の側面に、外気を取り込むための開口部である外気取り込み口を直接設け、空気取り込み手段は、外気取り込み口から外気を取り込むことを特徴とする。
【００１６】
請求項１０記載の発明は、請求項２又は３に記載の発明において、温風の風圧によって開閉可動する開閉板を温風吹き出し口に設けたことを特徴とする。
【発明の効果】
【００１７】
本発明によれば、遊技が行われていない状態の時（ベットされていない時）、遊技者が遊技機に備え付けられたレバー又はボタンを操作することにより、メダル払出口から温風が吹き出てくる構成であるので、寒さで悴んだ手を温めることでメダル投入がスムーズにでき、快適に遊技を行うことができる。
【発明を実施するための最良の形態】
【００１８】
以下、本発明を実施するための最良の形態について添付図面を参照して詳細に説明する。
【００１９】
図５は、本発明の一実施形態であるスロットマシンＳＭの外観を示す正面図である。また、図６は、スロットマシンＳＭの前面扉を開いた状態において、前面扉及びキャビネットボックスの内部構成を示す正面図である。
【００２０】
図５及び図６に示すように、スロットマシンＳＭは、前面開口を有して箱状のキャビネットボックス２と、この前面開口を覆って開閉可能に取り付けられた前面扉（フロントマスク）３とからなる筐体を有し、この筐体の各部に種々の遊技展開装置を配設して構成される。
【００２１】
前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００２２】
前面扉３の表側について図５を参照して説明する。前面扉３には、メダル投入口５、スタートレバー１１、回胴リール装置２００の各回胴リールＲ１、Ｒ２、Ｒ３に対応して設けられた停止ボタン１２、１３、１４、左右の上部スピーカＳＬ、ＳＲがスピーカカバーに保護されて取り付けられており、また、下部スピーカＳＷがメダル払出口の近傍に取り付けられている。
【００２３】
前面扉３の前面中央の中部パネルには、回胴リール装置２００と位置整合して透視窓１０が配設されており、各回胴リールＲ１、Ｒ２、Ｒ３の円筒外周面に沿って描かれた多数の絵柄のうち所定の範囲（例えば、上下３つの絵柄の範囲）を遊技機正面から透視可能になっている。
【００２４】
前面扉３の中央下部には、メダル払出口６が設けられているとともに、その下側に前方に突出する受け皿７が設けられており、ホッパ装置ＨＰから払い出された遊技メダルが、このメダル払出口６を通って受け皿７に受け止められ貯留されるようになっている。
【００２５】
前面扉３の裏側について図６を参照して説明する。図６に示すように、前面扉３の裏側上部には、スピーカＳＲ、ＳＬの間に演出表示装置（図示せず）が設けられている。さらに、演出表示装置の裏面側には、電気回路基板で形成されたサブ制御基板３００が取り付けられている。サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置の裏面側に重なるようにして取り付けられている。
【００２６】
ここで、サブ制御基板３００は、遊技機に備えられたランプ、効果音や音楽等の音、及び演出画像の演出関係の制御を行う基板である。このサブ制御基板３００には、演出用スピーカＳＲ、ＳＬ、ＳＷと演出用ランプ（図示せず）と演出表示装置がそれぞれ所定の配線ケーブル（図示せず）を介して配線接続されており、サブ制御基板３００に設けられている電気回路が、主制御基板１００からの指示に従ってこれら演出用スピーカＳＲ、ＳＬ、ＳＷと演出用ランプ（図示せず）と演出表示装置を駆動することにより、遊技者の視覚や聴覚に訴える演出を行うようになっている。
【００２７】
演出表示装置とサブ制御基板３００の下方には、透視窓１０が形成された略長方形の枠体２０が取り付けられている。枠体２０の下方には、下部パネル９の裏側にあたり、メダル投入部５より投入される投入物を正規の遊技メダルか異物かを判別して振り分けるセレクト機構Ｇ０と、セレクト機構Ｇ０で振り分けられた遊技メダルをキャビネットボックス２側に設けられているホッパ装置ＨＰへ案内するガイド部材Ｇ１と、セレクト機構Ｇ０で振り分けられた異物をメダル払出口６へ案内するガイド部材Ｇ２と、ホッパ装置ＨＰから出力される払出し用の遊技メダルを払出口６へ案内するためのメダル払出通路であるガイド部材Ｇ３が設けられ、さらにメダル払出口６の近傍にスピーカＳＷが取り付けられている。また、ガイド部材Ｇ３と同様にホッパ装置ＨＰから出力される払出し用の遊技メダルを払出口６へ案内するために、ホッパ装置ＨＰの側面から前面扉３に対して垂直方向に設けられたメダル払出通路２２が設けられている。
【００２８】
次に、キャビネットボックス２の内部を図６に示す。図６に示すように、キャビネットボックス２の内部は、左右の側板をつないで固定された棚板１５より大きく上下２段に分けられており、上段には、スロットマシンＳＭの作動を統括的に制御する主制御基板１００が透明樹脂製の基板ケースに収められて背板１６の上部にネジ固定され、円筒外周面に沿って多数の図柄が描かれた３つの回胴リールＲ１、Ｒ２、Ｒ３を回転・停止駆動する回胴リール装置２００が棚板１５の上面に支持されて取り付けられている。
【００２９】
下段には、主制御基板１００からの指令信号により入賞状態に応じて遊技メダルの払出を行うホッパ装置ＨＰ、主制御基板１００や回胴リール装置２００等の各種遊技展開装置に電力を供給する電源装置基板５００、ホッパ装置ＨＰのメダル貯留部（図示せず）が満杯の状態でさらに遊技メダルが投入されたときにメダル貯留部からあふれ出た遊技メダルを貯留する補助貯留部ＳＨＰなどが取り付けられている。
【００３０】
また、補助貯留部ＳＨＰの前面扉側には、本発明の特徴となる加温装置が備えられている（図３参照）。キャビネットボックス２内の下方には、主電源装置ＰＷＵが設けられている。この主電源装置ＰＷＵは、外部から入力される１００Ｖもしくは２４Ｖであり、各所定の電圧に変圧して各基板に供給される。なお、加温装置は主電源部ＰＷＵから電源を供給される。
【００３１】
ここで、キャビネットボックス２の裏側上部には、硬質プラスチックの収納ケース内に収納されたユニット構造である、主制御基板１００がスロットマシンＳＭの動作を統括するために設けられている。この主制御基板１００を中心として、サブ制御基板３００、中央表示基板４００、電源装置基板５００、回胴装置基板６００、外部集中端子基板７００がそれぞれ所定のケーブル（図示せず）を介して配線接続されている。
【００３２】
主制御基板１００には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板３００、４００、５００、６００、７００を制御することによって、スロットマシンＳＭの動作状況とゲームの進行を統括管理している。具体的には、遊技機のメイン抽選、各リールの制御、入力スイッチ等の管理を行っている。
【００３３】
以上説明したように、キャビネットボックス２に取り付けられた遊技展開装置（１００、２００、５００、ＨＰ等）及び前面扉３に取り付けられた遊技展開装置（５、１１〜１４、ＳＬ、ＳＲ、ＳＷ等）は、図示省略するワイヤーハーネス（電気配線）により相互に接続され、スロットマシンＳＭが遊技可能に構成される。
【００３４】
このように構成されたスロットマシンＳＭでは、遊技者がメダル投入口５に遊技媒体である遊技用メダルを投入し、複数あるベットボタンＢのいずれかを押下し、スタートレバー１１を操作すると、主制御基板１００は、このスタートレバー１１からの信号に基づいて起動指令信号を回胴リール装置２００に出力し、３つの回胴リールＲ１、Ｒ２、Ｒ３を同時に回転起動させる。遊技者は回転しているリールを任意に選択し、対応する停止ボタン１２、１３、１４を所望の順序およびタイミングで操作することができ、主制御基板１００はこれらの停止ボタンからの操作信号に応じて停止指令信号を回胴リール装置２００に出力し、対応する回胴リールＲ１、Ｒ２、Ｒ３の回転を制動停止させる。
【００３５】
回転していたリールＲ１、Ｒ２、Ｒ３が全て停止すると、主制御基板１００により入賞図柄の判定、すなわち当たりかはずれかの判定が行われる。主制御基板１００は停止後にリール又は演出表示装置に表示されている図柄について、投入した遊技メダルの枚数に応じた有効ライン（上・中・下３本の水平ライン及び左・右２本の斜めライン）上での入賞図柄の判定を行う。
【００３６】
そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカＳから入賞に応じた効果音が発生される。
【００３７】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。
【００３８】
このように、スロットマシンＳＭで遊技を行う遊技者は、表示された図柄が予め定められた組み合わせに該当しなかったときには投入した遊技メダルを失うが、表示された図柄が予め定められた組み合わせに該当したときには投入した枚数以上の遊技メダルを獲得しうることとなり、遊技メダルを増やすという興趣を楽しむことができる。
【実施例１】
【００３９】
以上、本発明の一実施形態であるスロットマシンについて説明したが、以下、実施例１として、加温装置を備えたスロットマシンについて添付図面を参照して詳細に説明する。
【００４０】
図１は、本実施例のスロットマシンＳＭの下部正面における内部構造を示している。図１に示すように、スロットマシンＳＭのキャビネットボックス２の下部には、略直方体状の加温装置１が、取付ブラケット等の取付具によってキャビネットボックス２の底板に取り付けられている（図２参照）。この加温装置１は、装置側面に、回転して空気を取り入れるための手段であるファン１８を少なくとも１以上備え、取り込んだ空気を加熱するための電熱線１９を備えている。また、加温装置１は、ホッパ装置ＨＰ近傍の主電源装置ＰＷＵと配線接続されており、ファン１８及び電熱線１９は主電源装置ＰＷＵからの電源供給により作動する。
【００４１】
加温装置１は、ファン１８が設けられた面と反対側の側面に、温風を吹き出すための開口部である温風吹き出し口２１が設けられている。一方、ホッパ装置ＨＰから出力される払出し用の遊技メダルを払出口６へ案内するための通路であり、ホッパ装置ＨＰの側面から前面扉３に対して垂直方向にメダル払出通路２２が設けられている。そして、温風吹き出し口２１は、メダル払出通路２２に設けられた開口部（図示せず）と直結する構成となっている。
【００４２】
以上のように構成された本実施例に係る加温装置において、ファン１８で取り込まれた空気は、ファン１８の近傍に設けられた電熱線１９で加熱されて温風となり、ファン１８によって温風吹き出し口２１からメダル払出通路２２に吹き出される。
【００４３】
そして、温風吹き出し口２１から出た温風は、メダル払出通路２２を介してメダル払出口６から遊技機筐体の外へ吹き出る。遊技者は、温風が吹き出すメダル払出口６に手を近づけたり、かざしたりすることで温めることができる。
【００４４】
なお、本実施例では、メダル払出通路２２を、同様の機能を有するガイド部材Ｇ３とは別に設ける構成としたが、温風の取り入れ方法はこれに限られるものではなく、例えば、前面扉に備えられたガイド部材Ｇ３に温風を取り入れるための開口部を設け、前面扉を閉めた時に、加温装置１の温風吹き出し口とガイド部材Ｇ３の開口部とが隙間無く合わさるような構成にしてもよい。
【００４５】
次に、加温装置１の動作について説明する。遊技者によって、操作手段であるスタートレバー１１、又は停止ボタン１２〜１４のいずれかが操作されると、サブ制御基板３００が操作されたことを検知し、温風吹き出し動作を開始するように加温装置１を制御する。そして、遊技者が遊技メダルをメダル投入口５に投入した場合、もしくはベット手段であるベットボタンＢを押下した場合のいずれかにおいて、サブ制御基板３００がメダル投入又はベットボタン押下を検知し、温風吹き出し動作を停止するよう制御する。従って、本実施例の加温装置１の温風吹き出し動作は、遊技動作が開始されていない時、すなわちメダル投入が行われていない時、又はベットがされていない時に行われるものとする。
【００４６】
ただし、遊技動作が開始されていない時であっても、安全面の点から、加温装置を長時間動作させておくのは危険であるので、予め設定された一定時間内に遊技が行われなかった場合は、加温装置１の温風吹き出し動作を停止するようにサブ制御基板３００が制御する。
【実施例２】
【００４７】
図２は、本発明の実施例２であるスロットマシンＳＭの下方の内部を示す略側断面図である。上記実施例１の加温装置１は、遊技機筐体内の空気を取り入れて加熱し温風とする構成であったが、本実施例２の加温装置は、図２に示すように、キャビネットボックス２の側面に、外気を取り込むための開口部である外気取り込み口２４を直接設け、遊技機筐体外の空気を取り入れる構成としている。
【００４８】
本実施例の加温装置１は、上記実施例１と同様に、Ｌ字型の取付ブラケット２３を加温装置の側面とキャビネットボックス２の底板に取り付けることによって筐体に固定されている。
【００４９】
以上、本発明の実施例１及び実施例２によれば、遊技機筐体内に温風を吹き出すための加温装置を設け、メダル払出口から温風を出す構成であるので、遊技者は遊技を始める際に、寒さで悴んだ手をメダル払出口に近づけて温めることができ、メダル投入をスムーズに行うことができる。
【実施例３】
【００５０】
次に、実施例３として、別形態の加温装置を備えたスロットマシンについて添付図面を参照して詳細に説明する。図３は、本実施例のスロットマシンＳＭの上面から内部を示す断面図であり、図４（ａ）及び（ｂ）は、温風吹き出し口に設けられた開閉板の動作を示す模式図である。
【００５１】
本実施例の加温装置１は、図３に示すように、温風吹き出し口に可動式の開閉板２７を設けた弁構造としている。この開閉板２７は、開閉板の一端に設けられたヒンジ部２８によって、吹き出してくる温風の風圧を受けて開閉可動する。すなわち、図４（ａ）に示すように、遊技中においては、実施例１と同様に温風吹き出し動作は停止するように制御されているので、開閉板２７は閉じた状態となっており、払出し用のメダル２５，２６がメダル払出通路２２を通過する。よって、遊技中の開閉板２７は、温風吹き出し口２１に遊技メダルが混入するのを防止する。よって、開閉板２７を構成する素材は、温風の風圧によって可動する重さであり、かつ払い出し時に通過する遊技メダルの接触に耐えうる強度を有するものであって、例えばアルミ板等が望ましい。なお、図４（ａ）中の矢印は、開閉板２７の開く方向を示している。
【００５２】
一方、遊技中でない時は、図４（ｂ）に示すように、温風吹き出し口２１から温風が吹き出してくるので、その風圧によって開閉板２７が押されて、開いた状態となり、メダル払出口６から温風が吹き出る。ここで、風圧によって開いた開閉板２７は、メダル払出通路２２の側面である通路壁２９に接触することによって、開放角度が規制されている。そして、温風の吹き出しが止まった時は、開閉板の重さによって閉じる。このような構成にした理由は、あまり開閉板が開きすぎると、閉まらなくなるおそれがあるからである。なお、図４（ｂ）中の矢印は、温風の吹き出る方向を示している。
【００５３】
以上、本発明の実施例３によれば、加温装置の温風吹き出し口に可動式の開閉板を設けて弁構造にすることによって、温風の風力で開閉板が開いて温風が吹き出す構成であるので、開閉板を可動させるための動力装置を備える必要なく、効率よく温風を出すことができるとともに、温風を出さない時、すなわち遊技中の時には、ホッパから払い出されるメダルが温風吹き出し口から加温装置内に混入することを防ぐことができる。
【００５４】
以上、本発明の実施例について説明したが、上記実施例に限定されるものではなく、その要旨を逸脱しない範囲において種々の変形が可能である。また、上記実施例では、スロットマシンを遊技機の例としたが、本発明はこれに限られず、遊技者が、遊技の際にメダル等の遊技媒体を直接手で扱うような遊技機全てにおいて適用することが可能である。
【図面の簡単な説明】
【００５５】
【図１】本発明の実施例１に係る遊技機下方の内部を示す略正面図である。
【図２】本発明の実施例２に係る遊技機下方の内部を示す略側断面図である。
【図３】本発明の実施例３に係る遊技機の内部を示す上面図である。
【図４】本発明の実施例３に係る遊技機の温風吹き出し口を示す略側断面図である。
【図５】本発明の一実施形態である遊技機の外観を示す正面図である。
【図６】本発明の一実施形態である遊技機の内部を示す正面図である。
【符号の説明】
【００５６】
２    キャビネットボックス
３    前面扉（フロントマスク）
４    施錠装置
５    メダル投入口
６    メダル払出口
７    受け皿
８    灰皿
９    下部パネル
１０    透過窓
１１    スタートレバー
１２，１３，１４    停止ボタン
１５    棚板
１６    背板
１８    ファン
１９    電熱線
２０    枠体
２１    温風吹き出し口
２２    メダル払出通路
２３    取付ブラケット
２４    外気取り込み口
２５，２６    遊技メダル
２７    開閉板
２８    ヒンジ部
２９    通路壁
１００    主制御基板
２００    回胴リール装置（メインリール装置）
３００    サブ制御基板
４００    中央表示基板
５００    電源装置基板
６００    回胴装置基板
７００    外部集中端子基板
ＳＭ    スロットマシン
Ｂ    ベットボタン
Ｒ１，Ｒ２，Ｒ３    回胴リール
ＳＲ，ＳＬ    上部スピーカ
ＳＷ    下部スピーカ
Ｇ０    セレクト機構
Ｇ１，Ｇ２，Ｇ３    ガイド部材
ＰＷＵ    主電源装置
ＨＰ    ホッパ装置
ＳＨＰ    補助貯留部
【図１】
2005261490.tif 000003
【図２】
2005261490.tif 000004
【図３】
2005261490.tif 000005
【図４】
2005261490.tif 000006
【図５】
2005261490.tif 000007
【図６】
2005261490.tif 000008